(57)【特許請求の範囲】
【請求項１】
反応条件下にあるモノリス触媒反応器内で反応体ガスと反応体液体との混合物を不均一触媒反応させるための方法において、スタティックミキサー内で反応体ガスを反応体液体と最初に混合することにより、泡立った混合物をつくり、得られる泡立った混合物を反応させるためにモノリス触媒反応器内に導入し、次いで反応生成物をこのモノリス触媒反応器から回収することからなる改良された不均一触媒反応の方法。
【請求項２】
モノリス触媒反応器が、６.４５２平方センチメートルあたり１００〜１２００個のセルを有する請求項１に記載の方法。
【請求項３】
泡立った混合物を０.１〜２メートル／秒の見掛け速度でモノリス触媒反応器内に上方に通過させる請求項２に記載の方法。
【請求項４】
スタティックミキサーが複数の区画からなり、それぞれの区画が、１つの軸に沿う流れの方向を有する管状のハウジングからなり、このハウジングが流れの方向に相互に噛み合いまた相互に交差するチャンネルを形成する複数の固定した強固な要素を有し、この要素は長手方向の軸に対して角度をなして延びている請求項３に記載の方法。
【請求項５】
スタティックミキサーが複数の混合区画からなり、それぞれの混合区画が、長手方向の軸の回りに前段の区画からの流れの向きに回転している請求項４に記載の方法。
【請求項６】
交番的な平行なチャンネルが長手方向の軸に対して４５〜約９０°の角度で交差する請求項５に記載の方法。
【請求項７】
スタティックミキサーの複数の区画が、長手方向の軸の回りに前段の区画から約４５〜９０°流れの向きに回転している請求項６に記載の方法。
【請求項８】
反応体液体中の反応体ガスの気泡の寸法がチャンネル幅またはセルの動水直径の０.５〜５倍であり、またモノリス触媒反応器が６.４５２平方センチメートルあたり２００〜６００個のセルを有する請求項７に記載の方法。
【請求項９】
不均一触媒反応が水素化反応であり、反応体液体がニトロ芳香族化合物、ニトリル、不飽和有機物、およびケトンまたはアルデヒドのアンモニアまたは第１級もしくは第２級アミンとの反応生成物からなる群から選択される有機化合物である請求項８に記載の方法。
【請求項１０】
有機化合物がニトロ芳香族化合物である請求項９に記載の方法。
【請求項１１】
ニトロ芳香族化合物は、ニトロベンゼン、ニトロトルエン、ニトロキシレン、ニトロアニソールおよび、ハロゲン化ニトロ芳香族化合物中のハロゲンがＣｌ、Ｂｒ、ＩまたはＦであるハロゲン化ニトロ芳香族化合物である請求項１０に記載の方法。
【請求項１２】
ニトロ芳香族化合物がジニトロトルエンである請求項１１に記載の方法。
【請求項１３】
流入口および流出口を有するモノリス触媒反応器と、流入口および流出口を有するスタティックミキサーとの組み合わせからなり、スタティックミキサーの流出口がモノリス触媒反応器の流入口と連結している請求項１に記載の方法のための装置。
【請求項１４】
モノリス触媒反応器が、６.４５２平方センチメートルあたり１００〜１２００個のセルを有する請求項１３に記載の装置。
【請求項１５】
スタティックミキサーが、長手方向の軸に対して角度をなして延びる交番的な流路を画定する複数の平行なチャンネルからなる請求項１４に記載の装置。
【請求項１６】
スタティックミキサーが複数の混合区画からなり、それぞれの混合区画が、長手方向の軸の回りに前段の区画から流れの向きに回転している請求項１５に記載の装置。
【請求項１７】
平行なチャンネルが４５〜約９０°の角度で交差する請求項１６に記載の装置。
【請求項１８】
スタティックミキサーの区画が、長手方向の軸の回りに前段の区画から約４５〜９０°流れの向きに回転している請求項１７に記載の装置。
【請求項１９】
モノリスの表面上に付着された触媒金属がVIｂ族、VIIｂ族、またはVIII族もしくはＩｂ族の金属である請求項１８に記載の装置。
【発明の詳細な説明】
【０００１】
【関連出願に関する相互引証】
本願は２００１年８月３０日付け出願の米国特許出願第０９／９４２,８３９号の部分継続出願である。
【０００２】
【発明の背景】
反応剤ガスと反応剤液体との間の工業的反応例えば不飽和有機化合物および縮合が可能な官能基を有する化合物の水素化が関与する反応は、撹拌槽反応器内で微細分割され粉末化されたスラリー触媒を使用することによりしばしば実施される。このスラリー相反応系は、化学プロセスの安全性、操作性および生産性に固有の問題がある。微細分割され粉末化された触媒はしばしば発火性であり、また反応器への装入および濾過に際して、運転者の取り扱いを過大にする。運転開始および運転停止のための熱サイクルの性質によって、スラリー系は共生成物の生成を促進し、このため、触媒寿命が短縮しまた所望の生成物への収率が低下する。
【０００３】
撹拌されている反応器内で微細分割された粉末触媒を使用することに対する別法は、ペレット化された触媒を固定床反応器内で使用することである。この反応器技術は、取り扱いおよび廃棄物の問題の多くを排除するが、技術的な多くの試みによって、液体有機化合物とのガスの反応に対して固定床反応器技術を応用することはできなかった。反応過程における全体的な温度上昇および温度勾配を制御することは１つの問題であった。第２の問題は、水素化に必要な大きな流量のため、固定床充填反応器には著しい圧力降下があることである。第３の問題は、気液分布に問題があり、従って、しばしば劣悪な転化率および局所化した濃度勾配が生じることである。
【０００４】
モノリス触媒反応器は固定床反応器に代替し、また慣用の固定床反応器に比べて多くの利点がある。この反応器の圧力降下は小さく、このためガスおよび液体の速度をより大きくして反応器を操作することができる。ガスおよび液体の速度がこのように大きいので、大きな物質移動および混合が促進され、またモノリスの平行なチャンネルの設計によって液体相内のガスの凝集が防止される。
【０００５】
以下の特許および論文は、ガス／液体反応に関する先行技術を例示する。
米国特許第５,７３,６８７号は、芳香族モノニトロ化合物を製造するために設計された装置を開示する。この反応器は、捩れた平板状の１つの部材の前面の端縁が、前置された部材の後面の端縁に対して実質的に垂直であるように系列的に配置された少なくとも１つより多くの捩れた平板状部材を収納する管からなる。反応器は１つの管と、平板状の部材が入っていない中空の１つの管とからなるのが好ましい。
【０００６】
Patrickら、AICHE Journal、41巻、3号（1995年3月）は、コーティングされていないコルディエライトのモノリス反応器および、滞留時間の分布を決定するのにまた気／液相反応を設計するのにこれを用いることを開示している。液体およびガスはモノリス反応器を上昇するように導入され、反応剤ガスは多孔性のガラスフリットを通過される。ガラスフリットの通過によって発生されるガス気泡は典型的にモノリスのチャンネルの幅より大きい。
【０００７】
米国特許第６,００５,１４３号は、モノリス触媒反応器システムを採用する反応器内でジニトロトルエンを水素と接触させることにより、ニトロ芳香族組成物つまりジニトロトルエンを水素化する方法での改良に関する。広範にみて、この改良はプラグフローで操作されるモノリス触媒反応器内でジニトロトルエンをトルエンジアミンに本質的に溶媒なしに連続して断熱的に水素化することにある。
【０００８】
米国特許第４,４２８,９２２号は、固定層触媒反応器内での反応に先立って水素を液体と予備混合するのにスタティックミキサーを利用することにより、固定床触媒水素化器内で過酸化水素を製造する方法を開示している。
【０００９】
米国特許第４,５５２,７４８号は、触媒活性のある物質が付着されている平行なチャンネルからなる反応器を通過させて使用液と水素とを上向きに流すことにより過酸化水素を製造する方法を開示している。反応生成物は反応器の上方部から取り出されそして循環される。
【００１０】
米国特許第５,６８８,０４７号は、混合要素を有するスタティックミキサーを開示している。これは管とその軸に対して約９０°の角度で回転する混合要素とからなる。
【００１１】
【発明の概要】
本発明は流入口と流出口とを有するモノリス触媒反応器および流入口と流出口とを有するスタティックミキサーとからなり、スタティックミキサーの流出口がモノリス触媒反応器の流入口に連結している装置に関する。本発明は一体型触媒反応器内で反応剤ガスと反応剤液体との間の反応を実施する方法における改良にも関する。この方法への改良は、反応剤ガスおよび反応剤液体をスタティックミキサーの流入口に導入し、反応剤ガスおよび反応剤液体をそこで混合し、得られる混合された反応剤ガスおよび反応剤液体をスタティックミキサーの流出口を通過してモノリス触媒反応器の流入口に排出し、次いで得られた反応剤ガスと反応剤液体との混合物を反応させることにある。反応剤ガスと反応剤液体との混合物は、モノリス触媒反応器を通って上向きに流される場合に、ジニトロトルエンの水素化において安全面で特別な利点がある。
【００１２】
装置およびプロセスに顕著な利点があり、それには以下が含まれる。
・モノリス触媒反応器内での反応剤ガスと反応剤液体との物質移動を増強できること、
・反応剤の接触時間を短くできることによって、副生物の生成が最小になり、また反応剤、反応の生成物または副生物の劣化に対する心配も最小になること、
・モノリス触媒反応器内でテイラーフローを得るのに必要な反応剤ガスの気泡寸法を一貫して制御できること、
・泡立ったガス／液体混合物をモノリス触媒反応器の全横断面にわたって実質的に均等に分散できること、
・反応速度を増加することによって生産性を増強できること、そして
・モノリス触媒反応器の処理量および効率を増大できること。
【００１３】
【発明の詳述】
本発明の１つの局面は、モノリス触媒反応器、特に工業的応用に好適なもの、例えば２〜８フィートの直径を有するものを利用するガス／液体反応のための装置の改良に関する。この装置の改良はスタティックミキサーの流出口をモノリス触媒反応器の流入口に結合することにある。プロセスの操作に関していうと、反応剤ガスおよび反応剤液体はスタティックミキサーの流入口の導入され、そしてこれを通過して上向きに流され、混合され、スタティックミキサーの流出口を経て除去され、次いでモノリス触媒反応器の流入口に装入される。反応剤ガスと反応剤液体との間の反応はモノリス触媒反応器内で起きまた反応生成物はモノリス触媒反応器の流出口から抜き出される。未反応のガスおよび液体を含有する反応生成物の一部はしばしば、供給物の反応剤ガスおよび反応剤液体と一緒にされそしてモノリス触媒反応器システムを通じて循環される。
【００１４】
固定層反応器中でモノリス触媒を使用しようと試みる背景技術の多くでは、下向きの流れが利用される。しかしながら、この流れの方向は、特に運転開始時に必要なある流速で停滞した流れまたは反転流を生じうることが見いだされている。このような流れの挙動はジニトロトルエンのトルエンジアミンへの転化のような反応にとって好ましくない下向流プロセスを生む。反応器内の条件は無制御反応器を生じることがある。しかしながら、反応剤ガスおよびジニトロトルエン反応剤液体をスタティックミキサーおよび一体型反応器を通過して上向きに流すと、スタティックミキサーからの泡立った安定な流れおよび反応器のモノリスのチャンネルを通過する安定なテイラーフローが確保され、これによって無制御反応の機会が最小になる。
【００１５】
スタティックミキサーは既知であり、また典型的には相互にある角度で差し挟まれている平行板からなる。一層特定的に、これらのミキサーは、複数の区画からなり、これらの区画が、流れの方向に相互に噛み合い（interengaging）また相互に交差する（intersecting）チャンネルを形成する固定した強固な要素を有する軸に沿う流れの方向を有する管状のハウジングからなる。これらの流路は管状のハウジングの流入口から流出口までの曲がりくねった流路を画定する。この流路は、相互に噛み合いまた相互に交差するチャンネルによって流体の流れの分割、流体流の再配置、次いで、流体が管状のハウジングを通過する際の流体流の一体化が行われるように設計される。平行する交番的なチャンネルが交差する角度は変化してよいが、この角度は４５〜９０°の範囲内にある。
【００１６】
１つの種類のスタティックミキサーは、壁、軸および流れの方向を有する管状のハウジングからなり、この軸はハウジングの内部を長手方向に延びる第１および第２の内部ハウジング部分に分割する。混合要素には少なくとも２つの混合区画が含まれ、これらの区画の１つがハウジング部分に配置されている。混合区画における流れの方向は、ハウジングの軸に対して平行でない流れの方向に延びる平行で、互いに離れているストリップによって規定される。流体が壁の表面に一旦接触すると、この流体は平行する次のストリップへと上昇して流されそして軸に対して平行でない逆向きの流れに誘導される。
【００１７】
チャンネルを画定する強固な要素の壁の形状は変化してよく、またいくつかは、波状、ワッフル状でありあるいは直線状であってよい。スタティックミキサー内でチャンネルは液体およびガスを放射状に外向きに、ついで放射状に内向きに誘導し、これによって、これらの流体が交差する箇所において互いに接触しそして破砕が起る。スタティックミキサーは複数のそれぞれの区画から典型的に組み合わさっており、またこれらの区画は図２の有向矢印によって示されるように長手方向の軸に関して、前段の区画に対して典型的に４５〜９０°の刻みで回転しており、従って、流体が区画から区画へと移動するにつれ流れのパターンが変化する。
【００１８】
本発明で使用するスタティックミキサーは、ガスの気泡寸法を制御することにより反応剤ガスの反応剤液体への分散を行うように設計されている。気泡寸法の範囲は直径０.１〜１５mmである。６.４５２平方センチメートルあたりのセル〔１平方インチあたりのセル(cpi)〕が１００〜１２００であり、好ましくは２００〜６００である場合、気泡寸法の目標はセルのチャンネル幅または動水直径の０.５〜５倍の範囲であり、好ましくはチャンネル幅の１〜３倍が用いられる。（セルの動水直径はチャンネルまたはセルの断面積をそれらの濡れ辺長で除して４を乗ずると定義される。）気泡寸法の制御はスタティックミキサー内のチャンネルの設計によって主として支配され、またスタティックミキサーを通過する流体の速度の制御によって定まる。
【００１９】
気泡寸法は、スタティックミキサーを通過するガスおよび液体の速度を等式化している公開情報を用いることにより予め決定することができる。典型的には、このような試験手続きにおいて、空気および水が使用され、また空気／水混合物をベースとする気泡寸法の測定値は、操作条件下での反応剤ガスおよび反応剤液体の気泡寸法に相関するものと考えられる。あるいはまた、コンピュータ化Ｘ線断層写真術あるいはレーザーアナライザーのような反応器内の気泡の寸法を測定する方法がある。反応の均一性を得るために、気泡寸法の測定によってモノリス触媒反応器の較正を実施すべきである。
【００２０】
ここに記載する方法で用いるモノリス触媒は、触媒金属でコートされた多孔性の無機基質、金属基質、変性された基質、つまりモノリスの支持体からなる。変性はカーボンまたは熱処理された網状重合体からつくられるコーティングであってよい。モノリスは、円形、正方形、矩形または他の幾何学的形状の、長く狭い毛管チャンネルのハネカムをベースとし、これによってガスおよび液体は、層流流動様式の下でチャンネルを通過して共に流れる。
【００２１】
これらの閉じ込められたチャンネル内のそしてこれらの条件下のガスおよび液体の流れは所望の『テイラー』フローを促進し、Ｈ2ガスの気泡は液体を通過して押し出される。この毛細管作用は極めて大きな気液および固液物質移動を促進する。気／液系のテイラーフローは、ガス気泡が実質的に均一な寸法を有しまた液体の薄膜によって包囲されるようなものである。
【００２２】
図３は、異なる流動様式下での気泡の特性の差を示す。図（ｄ）におけるように薄い液体フィルムによって囲まれた実質的に均一なガス気泡を形成することが目的である。（ａ）、（ｂ）および（ｃ）のような他の図は、様々なガス気泡の寸法を示し、小さい気泡が多量の液体によって囲まれていて、不十分な反応剤液体によって囲まれている（ｅ）、（ｆ）、（ｇ）および（ｈ）のような極めて大きな気泡に至る。
【００２３】
有効なモノリス触媒反応器内での圧力降下は、６.４５２平方センチメートルあたり４００セル〔１平方インチあたり４００セル(cpi)〕を有するモノリス触媒反応器内のガス保圧が５０％である場合、ガス／液体の見かけの合併流速０.１〜２メートル／秒に対して２〜２００kPa／ｍの範囲にありうる。ハネカムモノリスセルの壁の間隔に関する典型的な寸法は、プレートの間で０.５〜５mmである。あるいはまた、モノリスは６.４５２平方センチメートルあたり１００〜１２００、好ましくは２００〜６００セル（１００〜１２００、好ましくは２００〜６００cpi）を有してよい。チャンネルの形状は正方形、六
角形、円形、楕円形などであってよい。
【００２４】
反応に好適な触媒金属は実施すべき反応の種類に明らかに依存する。例えば、有機化合物の水素化では、モノリス基質に、変性された基質またはウオッシュコート（washcoat）に含浸されあるいは直接コートされる触媒金属が利用される。触媒金属には、周期律表のVIｂ族、VIIｂ族、VIII族およびＩｂ族の金属であり水素化反応で慣用される金属が含まれる。触媒金属成分の例には、コバルト、ニッケル、パラジウム、白金、銅、ロジウム、ルテニウム、レニウム、イリジウムなどがある。しばしば金属の混合物が採用され、１つの例はパラジウムとニッケルとである。ウオッシュコートで含浸されたモノリス触媒の場合、触媒金属の組成は典型的にはウオッシュコートそのもの内での重量百分率として同定される。ウオッシュコートはモノリスの全重量の１〜５０％の量で施されてよい。この場合、触媒金属の典型的な添加率は、ウオッシュコートの０.１〜２５重量％そして好ましくは１〜２０重量％の範囲にある。触媒金属は技術上一般に認められた方法でモノリスに含めることができる。触媒金属の塩の溶液からの初期の濡れ（incipient wetness）は、モノリス基質または変性されたモノリス上に金属触媒成分を含ませる方法の一例である。
【００２５】
不混和性の液相が関与するいくつかの水素化反応では、モノリス基質例えば、無機のまたは炭素をベースとするものは、網状重合体フィルムでコートされることができ、このフィルムは金属のための支持体として働く。ポリマーフィルムの炭素表面の微細多孔性を除去することは、不混和性の液相が存在する時、大きな反応速度および長い触媒寿命のために有利である。表面の小さい、また中程度の寸法の細孔は、分子量の大きい共生成物による細孔の閉塞による触媒の失活につながる傾向がある。従って、この炭素モノリス、炭素でコートされたモノリスまたは重合体網状構造／炭素でコートされたモノリスは活性を最適にするためには極めて小さい表面積を有すべきである。つまり、モノリス触媒の全表面積約１〜１５ｍ2／グラムのＮ2 ＢＥＴを有すべきである。
【００２６】
小さい表面積を有する網状重合体／炭素でコートされたモノリスを得るために、ポリマーコーティング溶液を壁の表面に施しまた伝統的な炭素化温度以下に加熱することができる。ポリマー溶液の例には、フルフリルアルコールおよびピロールおよびポリエチレングリコールメチルエーテルのような他の添加剤を含むフルフリルアルコール；アミンを含むエポキシ樹脂；無水物を含むエポキシ樹脂グリセロールまたは他の多官能性アルコールを含む飽和ポリエステル；油変性アルキッド飽和ポリエステル、不飽和ポリエステル；ポリアミド；ポリイミド；フェノール／ホルムアルデヒド；尿素／ホルムアルデヒド；メラミン／ホルムアルデヒドなどがある。上記の手順は市販で入手できるフルフリルアルコールのオリゴマーまたはコポリマーを使用することにより変更することができる。
ポリマーコーティングの炭素化は比較的低い温度で実施される。炭素化の温度は先行技術で普通に用いられる５５０〜９００℃とは対照的に２５０〜３５０℃である。
【００２７】
モノリス触媒反応器では多くの種類の反応が実施することができるが、主として水素化および酸化が鍵になる反応である。広範な種類の化合物、例えば、ニトロ芳香族、ニトリル、不飽和有機化合物例えば不飽和アミンの水素化を実施することができる。官能基を有する有機化合物は、縮合反応によって水素化することができる。好ましい化合物はニトロ芳香族化合物でありまたこれにはニトロベンゼン、ニトロトルエン、ニトロキシレン、ニトロアニソールおよびハロゲンがＣｌ、Ｂｒ、ＩまたはＦであるハロゲン化されたニトロ芳香族がある。
【００２８】
スタティックミキサー／モノリス触媒反応器の組み合わせの操作の理解を容易にするために図１を参照されたい。スタティックミキサー１は複数の区画３からなり、またモノリス触媒反応器４に結合している。反応剤ガス、反応剤液体および場合によっては循環物が流入管５、７および９を経て十字管に導入される。これらの３つの流体は十字管内で僅かに混合されそして管１１から抜き出される。ここで流体はスタティックミキサーの流入口に導入される。流体がスタティックミキサーを通過する際、複数の区画を通過するにつれ、流体は交番的に角度をなす流路に導入される。図示のように、最初の区画は、隣接する次の区画例えば３ａに対して、流路の長手方向の軸のまわりに配向している（最初の区画３および隣接する次の区画３ａとの間の空間によって示される）。ガスと液体との泡立った混合物は、得られるガス／液体の泡をモノリス触媒反応器４の断面に対する均一な分散を確実にするのに十分な幅を有する流出口１３（スタティックミキサー１の最後の区画３とモノリス触媒反応器４との間の小さい空間によって示される）から抜き出す。均一な分散によって、モノリス触媒反応器４のすべての領域にわたってテイラーフローを一貫して確保することができ、このため、その他の方法で得られるより大きい物質移動速度が得られる。複数のセルで反応が起きる。生成物および未反応の物質を回収するために、反応生成物は管１７を経てモノリス触媒反応器４から抜き出す。
【００２９】
図２は複数の混合区画３を有するスタティックミキサー１の等角投影図である。流れのパターンは、反応剤ガスおよび反応剤液体が、スタティックミキサーの長手方向の軸に沿って流入口から流出口へと流れの方向（矢印Ａによって示す）に進むにつれて、実質的に平行なチャンネル１９が、反応剤ガスと反応剤液体との混合物を、角度をなして最初は放射状に外側に、次いで内側にそれぞれの区画を通じて誘導するようなものである。チャンネルの交差する箇所において流体は、発生する乱流のため、直線で通過する流れのパターンで得られるであろう程度より大きい程度まで混合されてくる。混合過程を一層強化するために各々の区画は、スタティックミキサー１の長手方向の軸の回りに、流路において前段の区画から矢印Ｂによって示されるように典型的に４５〜約９０°回転しており、その結果、区画から区画への流れの反転が存在する。
【００３０】
以下の実施例は本発明の様々なそして好ましい態様を説明するために提示するものであり、本発明を限定する意図にはない。
実施例１
スタティックミキサーとモノリス触媒反応器とからなるジニトロトルエンの水素化
ジニトロトルエンの水素化を実施するために、高さ約１００インチおよび直径約１インチの円筒状のモノリス反応器床を包含する反応器を使用した。触媒床は、市販の６.４５２平方センチメートルあたり４００セル〔１平方インチあたり４００セル(cpi)〕のコーディエライトモノリス支持体からつくられ、この支持体は正方形の形状のセルを有し、アルミナウオッシュコートが２５％であり、また触媒金属装荷率がウオッシュコートを基準としてＮｉが２０％またＰｄが１％であった。反応器システムは図１と同様にして構成し、過剰の水素ガスは圧縮機を使用して反応器の流入口に循環した。
【００３１】
ジニトロトルエンの水素化のための化学量論的な必要量を超えて水素を供給した。ジニトロトルエンは融解液体として連続的に供給し、また溶媒は使用しなかった。ジニトロトルエン供給物および循環水素はともに、混合『十字管』におけるスタティックミキサーへの入口で循環反応混合物中に供給した。
【００３２】
この実証例で使用したスタティックミキサーは、ＳＭＶＬ型の８つの要素からなるModel No.１″Ｌ４Ｂ８であり、これらの要素はそれぞれ長さ１インチ、直径１インチであり、Koch-Glitsch．Inc．によって製造されている。ＳＭＶＬスタティックミキサーは短い長さの配管中で緊密な混合を達成し、圧力降下は最小であった。この形のミキサーは低粘度液体／液体混合、ガス／液体混合、および不混和性流体の分散のために適切に設計されており、また交差する多数の流動チャンネルを与えるように配向されている、積み重ねられた波状シートからなった。
【００３３】
トルエンジアミンおよび水の生成物を反応器系から連続的に取り出した。以下の運転の操作条件はテイラーフローを得るように空気／水データから選定した。モノリスチャンネルにおいて、３０〜３５cm／秒の範囲のガスおよび液体の見かけの速度をそれぞれ用いた。モノリス床を通過するジニトロトルエン（ＤＮＴ）の転化率＞９０％を達成し、そして反応混合物の断熱温度上昇を制限するために、ＤＮＴの流入口での濃度を０.５〜２重量％の範囲に維持した。この反応速度を実現するために流入口温度もまた調整した。
【００３４】
使用したスタティックミキサーは、この激しい反応を支えるのに必要な気−液物質移動速度を得るために、反応器の断面にわたって所望の水素気泡寸法１〜３mmを均一に与えるように設計した。バルク水素濃度をゼロと仮定するとき、気−液物質移動係数の最小の平均値ｋLａは１秒-1であった。実際には、このような操作でバルク水素濃度がゼロまで低下されることはめったになく、従って、平均のｋLａは２〜５秒-1の範囲にあることが期待された。これは優れた結果であった。このことは、商業上実用的な反応速度を維持するのに必要な流動条件、そしてＤＮＴおよび水素の双方の気泡の分散を、スタティックミキサーが与えることの証拠であった。スタティックミキサーの圧力降下は一般に２psigより小さく、またモノリス床全体の圧力降下は１５psigより小さく、このため、液体循環ポンプおよび循環水素圧縮機に必要な動力投入を減少することにより本方法の実用性がやはり増大する。
【００３５】
それぞれの供給物流はスタティックミキサーを通ってそしてモノリス触媒反応器内へと上方に流される。生成物および未反応の供給物を含有する反応生成物を反応器から回収した。反応生成物中の未反応の成分をスタティックミキサーに次いで反応器を通じて循環した。以下の表は代表的な操作に関する条件を示す。
【００３６】
【表１】
0003893092.tif 000002
【００３７】
これから理解できるように、プロセスの逸脱なしに長期間にわたって優れたＤＮＴ転化率を得た。
本方法をスタティックミキサーなしで操作する時、運転開始時にモノリス触媒反応器内でテイラーフローを得るのはかなり困難であった。プロセスの逸脱が多く認められ、これによって本方法が安全の点および製造の点で不満足なものになる。
【図面の簡単な説明】
【図１】モノリス触媒反応器に結合されたスタティックミキサーの断面図である。
【図２】相互に噛み合いまた相互に交差する波形、および個々の混合要素の流れのパターンを示す等角投影図である。
【図３】モノリス触媒反応器の細管内の様々な条件下での反応剤ガスおよび反応剤液体の流動様式を示す断面図である。
【図１】
0003893092.tif 000003
【図２】
0003893092.tif 000004
【図３】
0003893092.tif 000005